(57)【要約】      （修正有）【課題】シートを搬送するための機能の動作を適切なタイミングで行い、トータルスループットを向上する。【解決手段】ピックアップローラを待機位置から下降させることによって、シート載置部に載置されたシートを搬送する自動原稿給紙装置（ＡＤＦ）を備えた画像読取装置において、ＡＤＦの開閉後に画像読取装置の原稿台ガラス上のシートの有無を検出し、その検出結果に基づいて、待機位置へと移動させるようにピックアップローラを制御する。【選択図】図７
2017034548.tif 000002
【特許請求の範囲】
【請求項１】
ピックアップローラを待機位置から下降させることによって、シート載置部に載置されたシートを搬送する給送手段と、
画像読取装置の原稿台ガラス上のシートの有無を検出する検出手段と、
前記検出手段による検出結果に基づいて、前記待機位置へと移動させるように前記ピックアップローラを制御する制御手段と
を備えることを特徴とする給送制御装置。
【請求項２】
前記給送手段は、前記原稿台ガラスの面を露出させるために、前記画像読取装置の筐体の一部に開閉可能に支持されており、
前記給送手段の開放角度を検知する検知手段を更に備え、
前記検出手段は、前記検知手段の検知結果に基づいて、原稿台ガラス上のシートの有無を検出する
ことを特徴とする請求項１に記載の給送制御装置。
【請求項３】
前記検知手段が、前記給送手段の開放角度が第１の開放角度であることを検知した場合、前記検出手段は、前記シートの有無の検出を開始し、その後、前記検知手段が、前記給送手段の開放角度が前記第１の開放角度からその第１の開放角度より小さい第２の開放角度を検知した場合、前記シートの有無の検出を完了する
ことを特徴とする請求項２に記載の給送制御装置。
【請求項４】
前記検出手段の検出の結果、前記検出手段が、前記原稿台ガラス上にシートがないことを検出した場合、前記制御手段は、前記ピックアップローラを前記待機位置へ移動させる
ことを特徴とする請求項１乃至３のいずれか１項に記載の給送制御装置。
【請求項５】
前記検出手段は、前記原稿台ガラスの配下に配置されたセンサである
ことを特徴とする請求項１乃至４のいずれか１項に記載の給送制御装置。
【請求項６】
前記検出手段は、前記原稿台ガラス上のシートの画像を読み取る画像読取部である
ことを特徴とする請求項１乃至５のいずれか１項に記載の給送制御装置。
【請求項７】
請求項１乃至６のいずれか１項に記載の給送制御装置と、
前記給送手段によって搬送されるシートの画像を読取位置にて読み取る読取手段と
を備えることを特徴とする画像読取装置。
【請求項８】
請求項７に記載の画像読取装置と、
前記画像読取装置で読み取られた画像に基づいて、記録媒体上に画像を形成する画像形成手段と、
を備えることを特徴とする画像形成装置。
【請求項９】
ピックアップローラを待機位置から下降させることによって、シート載置部に載置されたシートを搬送する給送工程と、
画像読取装置の原稿台ガラス上のシートの有無を検出する検出工程と、
前記検出工程による検出結果に基づいて、前記待機位置へと移動させるように前記ピックアップローラを制御する制御工程と
を備えることを特徴とする給送制御方法。
【請求項１０】
コンピュータを、
ピックアップローラを待機位置から下降させることによって、シート載置部に載置されたシートを搬送する給送手段、
画像読取装置の原稿台ガラス上のシートの有無を検出する検出手段、及び
前記検出手段による検出結果に基づいて、前記待機位置へと移動させるように前記ピックアップローラを制御する制御手段
として機能させるためのプログラム。
【発明の詳細な説明】
【技術分野】
【０００１】
本発明は、シートの搬送を制御する給送制御技術に関するものである。
【背景技術】
【０００２】
従来、原稿読取装置に対して読取原稿を自動で給紙搬送する自動原稿給送装置（ＡＤＦ：Ａｕｔｏ  Ｄｏｃｕｍｅｎｔ  Ｆｅｅｄｅｒ）がある。一般的に、ＡＤＦは、原稿が積載される原稿トレイと、原稿トレイから原稿をピックアップして搬送するピックアップローラとを備えている。また、ＡＤＦは、ピックアップローラから搬送された原稿を１枚ずつに分離して下流へ搬送する分離部や、原稿トレイ上にセットされる原稿の先端を規制するシャッターを備えている。このピックアップローラの待機位置は、ユーザが原稿トレイに原稿をセットしやすいように、原稿の搬送路に対して上昇している位置にある。また、この原稿トレイを含むＡＤＦは、ＡＤＦが取り付けられる原稿読取装置に対して開閉可能に指示されている。また、原稿読取装置は、ＡＤＦとは別に１枚の原稿を読み取るための原稿台ガラス（プラテンガラス）を備えている。
【０００３】
このような構成において、過去の使用においてＡＤＦを開け、その後、閉めた時の衝撃によって、待機位置にあるピックアップローラが下方へ落下する場合がある。このピックアップローラが落下していると、ユーザが原稿を原稿トレイにセットしづらい。
【０００４】
また、原稿先端位置を規制するシャッターが、ピックアップローラ上昇時のみシャッターロック部材によってロックされる構成を採用しているものがある。このような構成の場合、ピックアップローラが下降しているとシャッターがロックされず、原稿先端位置が揃わないため、給紙不良や重送が生じやすくなる。そこで、近年では、ユーザによってＡＤＦが閉じられたことを検出すると、ピックアップローラを上昇させるという技術が提案されている（特許文献１参照）。
【先行技術文献】
【特許文献】
【０００５】
【特許文献１】特開２００５−２７７５３３号公報
【発明の概要】
【発明が解決しようとする課題】
【０００６】
しかし、従来技術では、ユーザがＡＤＦを閉めた後に、続いて、原稿台ガラス上の原稿を読み取る等、ＡＤＦを使用しない場合でも、不要なピックアップローラの上昇処理が発生することになる。この場合、ピックアップローラの上昇処理時の音の発生や、上昇処理完了後にジョブを受け付けるため、ジョブの開始時間が遅くなる。
【０００７】
本発明は上記の課題に鑑みてなされたものであり、シートを搬送するための機能の動作を適切なタイミングで行い、トータルスループットを向上することができる技術を提供することを目的とする。
【課題を解決するための手段】
【０００８】
上記の目的を達成するための本発明による給送制御装置は以下の構成を備える。即ち、
ピックアップローラを待機位置から下降させることによって、シート載置部に載置されたシートを搬送する給送手段と、
画像読取装置の原稿台ガラス上のシートの有無を検出する検出手段と、
前記検出手段による検出結果に基づいて、前記待機位置へと移動させるように前記ピックアップローラを制御する制御手段と
を備える。
【発明の効果】
【０００９】
本発明によれば、シートを搬送するための機能の動作を適切なタイミングで行い、トータルスループットを向上することができる。
【図面の簡単な説明】
【００１０】
【図１】画像読取装置の外観斜視図である。
【図２】画像読取装置の断面図である。
【図３】角度検知部の構成を示す断面図である。
【図４】原稿検出部の構成を示す平面図である。
【図５】ピックアップローラ上昇時と下降時の断面図である。
【図６】画像読取装置の制御構成を示すブロック図である。
【図７】原稿検出処理を示すフローチャートである。
【図８】ピックアップローラの初期化処理を示すフローチャートである。
【発明を実施するための形態】
【００１１】
以下、本発明の実施の形態について図面を用いて詳細に説明する。
画像読取装置１の構造について、図１及び図２を用いて説明する。図１は画像読取装置の外観斜視図である。また、図２は画像読取装置の断面図である。
【００１２】
図１に示すように、画像読取装置１は、原稿を読み取る画像読取部２と、画像読取部２に原稿を搬送可能な自動原稿給送装置（ＡＤＦ）３とを備えている。また、ＡＤＦ３は、手前側から画像読取部２が開放自在となるように、奥側に配設されたヒンジ部１７により、ＡＤＦ３が画像読取部２の筐体の一部（端部）に対して開閉可能に支持されている。
【００１３】
また、図２に示すように、画像読取部２は、ＡＤＦ３から搬送されてくる原稿Ｄの画像を搬送しながら読み取るためのイメージセンサユニット４が下方に配置された読取ガラス５を備える。また、画像読取部２は、ＡＤＦ３を用いずに原稿Ｄを直接載置して読み取るための原稿台ガラスであるプラテンガラス６とを有している。また、画像読取部２には、読取ガラス５を挟んで、イメージセンサユニット４の反対側の位置にプラテンローラ４０が構成されている。
【００１４】
尚、イメージセンサユニット４は、ＣＣＤ等の受光センサ及びＬＥＤ等の光源が、原稿Ｄの搬送方向（副走査方向）と交差する方向（主走査方向）に構成されたライン型読取センサである。イメージセンサユニット４は、各受光センサが原稿Ｄからの反射光を受信して出力する読取信号をライン方向に合算したデータを、ＡＤＦ３から給紙された原稿Ｄの読取データとして取得する。読取データは、画像読取装置１の制御部３００（図６）のＲＡＭ３０２に格納される。
【００１５】
このように、画像読取装置１の画像読取部２は、ＡＤＦ３から給紙された原稿Ｄの画像を読取ガラス５の所定の読取位置１１にて光学的に読み取ることができる。また、画像読取部２は、ＡＤＦ３を開いて画像読取部２のプラテンガラス６上に載置された原稿画像を光学的に読み取ることもできる。
【００１６】
ＡＤＦ３は、原稿Ｄを積載する原稿トレイ１０、原稿トレイ１０に積載された原稿Ｄを給送するピックアップローラ２２、ピックアップローラ２２に給送される原稿Ｄを１枚ずつ分離する分離ローラ２１、及び分離パッド１５を備える。また、ＡＤＦ３は、原稿Ｄの先端を揃えてイメージセンサユニット４とプラテンローラ４０に搬送する搬送ローラ対２３を備える。また、ＡＤＦ３は、搬送ローラ対２３から搬送された原稿を読取位置１１でイメージセンサユニット４によって読み取りながら搬送するプラテンローラ４０と、読取が終了した原稿Ｄを装置外に排出する排出ローラ対２４を備える。
【００１７】
原稿トレイ１０には、複数の原稿からなる原稿束を載置可能であり、積載された原稿束の幅を規定するサイドガイド１２が構成されている。また、原稿トレイ１０の原稿搬送方向の下流側にはストッパ１３が構成されており、原稿トレイ１０上の原稿束の先端位置を規定する。ストッパ１３の原稿搬送方向の上流側には、原稿検知センサ１４が構成されており、原稿検知センサ１４により、原稿が原稿トレイ１０上に載置されているか否かを検出することができる。
【００１８】
ストッパ１３の原稿搬送方向の下流側には、分離パッド１５及び分離ローラ２１が構成されている。また、分離ローラ２１の原稿搬送方向の上流側には、ピックアップローラ２２が構成されている。分離ローラ２１は、分離クラッチ２５を介して搬送モータ３２に接続可能である。また、分離ローラ２１は、ストッパ１３に駆動連結されており、また、アーム部材３４を介してピックアップローラ２２に駆動連結されている。
【００１９】
ピックアップローラ２２は、ユーザによる原稿Ｄのセット作業を阻害しないように、図２に示す実線位置をホームポジション（待機位置）としている。ピックアップローラ２２がホームポジションにあるとき、ストッパ１３は原稿の先端位置を規定するため、原稿搬送路を遮るように設置されている。
【００２０】
また、ピックアップローラ２２は、原稿Ｄの給送動作が開始されると、搬送モータ３２と分離クラッチ２５を動作する。これにより、分離ローラ２１と駆動連結されたアーム部材３４によって、ピックアップローラ２２は、ホームポジションから給送位置（図２に示す破線位置）に下降し、原稿Ｄの上面に当接して原稿Ｄを給送する。このとき、ストッパ１３は上昇し、原稿搬送を遮らないようになる。再度、給送位置からホームポジション位置に上昇するときは、搬送モータ３２を給送時とは逆回転に動作させることで、アーム部材３４が逆回転し、ピックアップローラ２２が上昇する構成となっている。その際、搬送ローラ対２３、プラテンローラ４０、排出ローラ対２４も搬送方向とは逆に回転する構成となっている。
【００２１】
搬送ローラ対２３は、分離ローラ２１の下流に設けられており、搬送クラッチ２６を介して搬送モータ３２に接続可能である。搬送ローラ対２３の原稿搬送方向の上流側には、搬送センサ１６が構成されており、搬送センサ１６により、原稿が搬送ローラ対２３まで搬送されてきたか否かを検出することができる。
【００２２】
搬送センサ１６により原稿が検出されると、原稿Ｄの先端をニップ部に突き当て、原稿Ｄにループを生じさせることにより原稿Ｄの先端を揃える。その後、搬送クラッチ２６を動作させると、搬送ローラ対２３は、回転して原稿Ｄをプラテンローラ４０に向かって搬送する。プラテンローラ４０は、搬送ローラ対２３の下流でプラテンガラス６上に設けられており、搬送ローラ対２３により先端揃えられた原稿Ｄを、イメージセンサユニット４上に搬送することで、原稿Ｄの画像を読み取る。
【００２３】
搬送ローラ対２３からプラテンローラ４０を介して原稿搬送方向の下流側には、反転排出部９を構成する排出ローラ対２４が構成されている。排出ローラ対２４は、離間ソレノイド３６によって接離可能である。そして、排出ローラ対２４の原稿搬送方向の下流側には、排出トレイ８が構成されている。排出ローラ対２４は、搬送ローラ対２３とプラテンローラ４０によって搬送され、画像読取部２によって読取が完了した原稿Ｄを排出トレイ８上に搬送する。また、排出ローラ対２４は、原稿Ｄの裏面を読み取る両面読取の場合に、原稿Ｄをスイッチバックして反転路を介して再度、搬送ローラ対２３に搬送する。
【００２４】
ＡＤＦ３は、画像読取部２の筐体で包含されるプラテンガラス６の面を露出させるためのヒンジ部１７で開閉可能に支持されており、閉動作によりプラテンガラス６上に載置された原稿Ｄが移動しないように原稿Ｄを押圧可能に構成されている。また、画像読取部２には、画像読取部２に対するＡＤＦ３の開放角度を検知可能な角度検知部１８が取り付けられている。角度検知部１８は、図３に示すように、２つの角度検知センサ１８ｂ、１８ｃと１つのフラグ１８ａにより、ＡＤＦ３の４パターンの開放角度（０〜５度、５〜１５度、１５〜２５度、２５度以上）が検知可能となっている。例えば、角度検知センサ１８ｂがオフで角度検知センサ１８ｃがオンになると、角度検知部１８は、開放角度が０〜５度であることを検知する。また、角度検知センサ１８ｂがオンで角度検知センサ１８ｃがオンになると、角度検知部１８は、開放角度が５〜１５度であることを検知する。また、角度検知センサ１８ｂがオンで角度検知センサ１８ｃがオフになると、角度検知部１８は、開放角度が１５〜２５度であることを検知する。また、角度検知センサ１８ｂがオフで角度検知センサ１８ｃがオフになると、角度検知部１８は、開放角度が２５以上であることを検知する。
【００２５】
画像読取部２は、プラテンガラス６上に載置された原稿の有無とサイズを検出するための複数のセンサを備えている。具体的には、図４に示すように、プラテンガラス６の配下に、原稿の主走査方向の幅を検知するための主走査サイズ検知センサ３５及び３６と、副走査方向の幅を検出するための副走査サイズ検知センサ３７及び３８を配置している。これらの検知センサは、反射型センサとなっており、プラテンガラス６を通して検知センサの真上の原稿の有無を検出可能となっている。また、複数の検知センサの検知結果に基づいて、プラテンガラス６上に載置された原稿のサイズを検出することができる。検出できる原稿のサイズとしては、図４の例では、はがき、Ｂ４〜Ｂ６、Ａ３〜Ａ５のいずれかとなっている。
【００２６】
図５はＡＤＦ３のピックアップローラ２２付近の拡大断面図である。この図５を用いて、一般的な原稿給紙時におけるピックアップローラ２２の動作について説明する。
【００２７】
原稿トレイ１０上に原稿Ｄをセットする際には、原稿Ｄの先端をストッパ１３に突き当ててセットする。ストッパ１３は、ピックアップローラ２２と連動している。また、規制部であるストッパ１３は、原稿Ｄの搬送前は、ストッパロック部材１３ａによって、原稿Ｄの先端を規制する規制位置でその位置が保持されている。ストッパ１３は、分離部（分離ローラ２１及び分離パッド１５）よりもシート搬送方向上流側に設けられ、シート載置部である原稿トレイ１０に載置された原稿Ｄの先端を規制する規制位置と、分離部へシートが搬送されるのを許容する許容位置とに移動可能である。
【００２８】
ピックアップローラ２２の初期化タイミングは、例えば、「ＡＤＦ開閉時」、「原稿セット時」、「ジョブ終了時」等の原稿給送動作の開始前あるいは終了後がある。初期化後のスタンバイ状態では、図５（ａ）に示すように、ピックアップローラ２２は上昇した位置（ホームポジション位置）に待機し、ストッパ１３は規制位置でストッパロック部材１３ａによって保持されている。
【００２９】
そして、図５（ｂ）に示すように、原稿搬送が開始されるとき、ピックアップローラ２２の駆動に応じてピックアップローラ２２が下降し、それに伴いストッパロック部材１３ａによるロックが解除され、ストッパ１３が上昇する。これにより、ストッパ１３が開放されることで原稿Ｄの搬送が許容され、分離ローラ２１と分離パッド１５によって原稿Ｄを分離し、搬送する。原稿Ｄの読取・排紙が完了すると、ＡＤＦ３の初期化動作として、ピックアップローラ２２を上昇させることで、ピックアップローラ２２を待機位置へ、ストッパ１３を規制位置へと移動させる。
【００３０】
図６は、画像読取装置１を制御する制御部３００の構成を示す図である。
【００３１】
制御部３００は、例えば、画像読取装置１の内部に実装される。制御部３００の実装基板であるマザーボード上に構成されるバス線３１０には、演算部としてのＣＰＵ３０１、メモリ部としてのＲＡＭ３０２、ＲＯＭ３０３が接続されている。また、バス線３１０には、角度検知部１８（角度検知センサ１８ｂ及び１８ｃ）、搬送モータ３２、分離クラッチ２５が接続されている。更に、バス線３１０には、操作部５７、原稿検出部３０５（主走査サイズ検知センサ３５及び３５、副走査サイズ検知センサ３７及び３８）が接続されている。図６に示す各種構成要素は、バス線３１０を介して相互に通信可能である。
【００３２】
ＣＰＵ３０１は、画像読取装置１の動作を統括的に制御する。ＲＡＭ３０２は、ＣＰＵ３０１の作業領域及びデータの一時記憶領域として用いられる。ＲＯＭ３０３は、画像読取装置１を駆動するためのファームウェアプログラムや、ファームウェアプログラムを制御するためのブートプログラムを記憶しており、ＣＰＵ３０１により読み出されて実行される。
【００３３】
原稿検出部３０５は、ユーザがＡＤＦ３を閉じたときのプラテンガラス６上の原稿の有無及びそのサイズを検出する。ＣＰＵ３０１は、角度検知センサ１８ｂ及び１８ｃの検知結果からＡＤＦ３の開放角度を検知する。そして、ＣＰＵ３０１は、検知結果が所定の２種類の開放角度（ここでは、２５度と５度）である場合に、主走査サイズ検知センサ３５及び３６、副走査サイズ検知センサ３７及び３８によって、プラテンガラス６上の原稿の有無を検出する。また、ＣＰＵ３０１は、その検出結果の変化から原稿のサイズを検出する。
【００３４】
また、ＣＰＵ３０１は、ＲＯＭ３０３に記憶されるプログラムを読み出し、ＲＡＭ３０２上で実行することにより、ＡＤＦ３の各種構成要素の動作を制御することができる。また、ＡＤＦ３や画像読取装置１への各種操作や設定は、操作部５７を介して行われる。操作部５７は、例えば、表示部（液晶ディスプレイ、ＬＥＤ等）、指示部（ボタン、タッチパネル）等から構成され、読取指示や部数設定、読取原稿サイズの指定、変倍等の各種操作を行うことができる。
【００３５】
尚、図６では、明確化のために、本実施形態に関わる構成要素のみを示しており、画像読取装置１やＡＤＦ３の動作を実現するために必要なそれ以外の各種構成要素（例えば、原稿検知センサ１４等）がバス線３１０に接続される。
【００３６】
次に、本実施形態に係る原稿検出処理について、図７を用いて説明する。尚、図７に示すフローチャートは、ＣＰＵ３０１がＲＯＭ３０３に記憶されるプログラムを読み出し、ＲＡＭ３０２上で実行することにより実現される。
【００３７】
まず、ＣＰＵ３０１は、角度検知部１８（角度検知センサ１８ｂ及び１８ｃ）によって、ＡＤＦ３が開いている状態（開放角度２５度以上）を検知する（Ｓ１０１）。次に、ＣＰＵ３０１は、角度検知部１８によって、ユーザによりＡＤＦ３が閉められ、開放角度が所定の第１角度（２５度）であるか否かを判定する（Ｓ１０２）。判定の結果、開放角度が所定の第１角度でない場合（Ｓ１０２でＮＯ）、所定の第１角度になるまで待機する。一方、判定の結果、開放角度が所定の第１角度である場合（Ｓ１０２でＹＥＳ）、ＣＰＵ３０１は、主走査サイズ検知センサ３５及び３６、副走査サイズ検知センサ３７及び３８による原稿検出処理を開始する（Ｓ１０３）。
【００３８】
更に、ユーザによってＡＤＦ３が閉められていき、開放角度が所定の第２角度（５度）であるか否かを判定する。判定の結果、開放角度が所定の第２角度でない場合（Ｓ１０４でＮＯ）、所定の第２角度になるまで待機する。一方、判定の結果、開放角度が所定の第２角度である場合（Ｓ１０４でＹＥＳ）、ＣＰＵ３０１は、再度、主走査サイズ検知センサ３５及び３６、副走査サイズ検知センサ３７及び３８による原稿検出処理を継続する。そして、ＣＰＵ３０１は、開放角度２５度と５度での原稿検出処理の検出結果の変化によって、プラテンガラス６上の原稿の有無とサイズを算出して、原稿検出処理を完了する（Ｓ１０５）。
【００３９】
原稿検出処理の完了後、その検出結果に応じて、ＣＰＵ３０１は、プラテンガラス６上に原稿の有無を判定する（Ｓ１０６）。判定の結果、原稿が有る場合（Ｓ１０６でＹＥＳ）、処理を終了する。一方、判定の結果、原稿が無い場合（Ｓ１０６でＮＯ）、ＣＰＵ３０１は、ピックアップローラ２２をホームポジション位置に上昇（移動）させる初期化処理を実行する（Ｓ１０７）。
【００４０】
次に、Ｓ１０７のピックアップローラの初期化処理の詳細について、図８を用いて説明する。
【００４１】
ＣＰＵ３０１は、ピックアップローラ２２の初期化処理を開始すると、分離クラッチ２５を動作させる（Ｓ２０１）。ＣＰＵ３０１は、分離ローラ２１と搬送モータ３２に接続させることで、ピックアップローラ２２の駆動を連結して、分離ローラ２１と搬送モータ３２の動作を開始する（Ｓ２０２）。その後、ＣＰＵ３０１は、原稿が搬送される回転方向とは逆回転で、搬送モータ３２を所定距離回転させることで、ピックアップローラ２２を上昇させる（Ｓ２０３）。ＣＰＵ３０１は、ピックアップローラ２２の上昇後、搬送モータ３２と分離クラッチ２５を停止する（Ｓ２０４）。
【００４２】
以上説明したように、本実施形態によれば、ＡＤＦ３が閉じられたときにプラテンガラス６上の原稿の有無を検出する。そして、検出の結果、原稿が有ればユーザが次にＡＤＦを使用すると判断して、ピックアップローラ２２を上昇させることによって、必要な場合にのみ初期化処理を実行するようにする。これにより、ピックアップローラ２２の上昇処理による音の低減や、次ジョブまでの処理の開始の時間短縮を行うことが可能となる。このように、画像読取装置１は、ＡＤＦにおけるシートの給送を制御する給送制御装置として機能する。
【００４３】
また、本実施形態における更なる効果として、ユーザが手でプラテンガラス６上の原稿を押さえながらＡＤＦ３を閉じた際に、プラテンガラス６上に接触するＡＤＦ３に設置されたローラが回転中に、ユーザの手が接触することを防止する効果がある。
【００４４】
従来では、ピックアップローラ２２が上昇すると、上昇によってプラテンローラ４０が回転する構成であるため、ユーザが回転中のプラテンローラ４０に手を接触させる恐れがある。これに対して、本実施形態では、原稿が無い場合のみピックアップローラ２２を上昇させるので、ユーザが原稿を手で押さえているような場合には、プラテンローラ４０は回転しない。そのため、回転中のプラテンローラ４０にユーザの手が接触すること防止することが可能となる。
【００４５】
また、本実施形態では、原稿検出部３０５に用いるセンサとして、反射型センサを用いているが、これに限定されない。例えば、イメージセンサユニット４によって、プラテンガラス６上の原稿の有無を検出することも可能である。それ以外にも、プラテンガラス６上の原稿の有無を検出することが実現可能な構成であれば、本実施形態の動作を適用することができる。更には、イメージセンサユニット４と反射型センサとを組み合わせて、原稿検出部３０５を実現しても良い。
【００４６】
尚、上記実施形態のＡＤＦ３は、例えば、複写機やファクシミリ等の画像読取装置に用いられる原稿給送装置として使用することができる。また、ＡＤＦ３は、画像読取装置で読み取られた画像に基づいて、記録媒体上に画像を形成すると画像形成装置とその画像読取装置で構成される複合機あるいは複写機の原稿給送装置として使用することもできる。
【００４７】
尚、以上の実施形態の機能は以下の構成によっても実現することができる。つまり、本実施形態の処理を行うためのプログラムコードをシステムあるいは装置に供給し、そのシステムあるいは装置のコンピュータ（またはＣＰＵやＭＰＵ）がプログラムコードを実行することによっても達成される。この場合、記憶媒体から読み出されたプログラムコード自体が上述した実施形態の機能を実現することとなり、またそのプログラムコードを記憶した記憶媒体も本実施形態の機能を実現することになる。
【００４８】
また、本実施形態の機能を実現するためのプログラムコードを、１つのコンピュータ（ＣＰＵ、ＭＰＵ）で実行する場合であってもよいし、複数のコンピュータが協働することによって実行する場合であってもよい。更に、プログラムコードをコンピュータが実行する場合であってもよいし、プログラムコードの機能を実現するための回路等のハードウェアを設けてもよい。またはプログラムコードの一部をハードウェアで実現し、残りの部分をコンピュータが実行する場合であってもよい。また、ＣＰＵも１つのＣＰＵで全ての処理を行うものに限らず、複数のＣＰＵが適宜連携をしながら処理を行うものとしてもよい。
【符号の説明】
【００４９】
１：画像読取装置、２：画像読取部、３：ＡＤＦ、６：プラテンガラス、１８：角度検知部、１８ｂ、１８ｃ：角度検知センサ、２２：ピックアップローラ、２５：分離クラッチ、３２：搬送モータ、３５、３６：主走査サイズ検知センサ、３７、３８：副走査サイズ検知センサ、３０１：ＣＰＵ、３０２：ＲＡＭ、３０３：ＲＯＭ、３０５：原稿検出部、３１０：バス線、５７：操作部
【図１】
2017034548.tif 000003
【図２】
2017034548.tif 000004
【図３】
2017034548.tif 000005
【図４】
2017034548.tif 000006
【図５】
2017034548.tif 000007
【図６】
2017034548.tif 000008
【図７】
2017034548.tif 000009
【図８】
2017034548.tif 000010